(57)【要約】【課題】  ヒトは一生の三分の一を眠る、睡眠に依って疲労を回復し、健康を維持するが、熟睡中であっても身体は微妙に動いているので、寝具の優劣がその度合いを左右する、特に枕は身体の一番重要な器官を保持するので、従来から形状、芯の素材や表皮の感触などに、改良工夫を凝らしているが、結果は接触感覚の向上だけなので、物理的な機能を加味した、新機軸の快眠枕の発明を期待して居た。【解決手段】  頭が微妙に傾くと、枕との間に僅かだが接触抵抗が生ずるが、それでも睡眠中の総抵抗値はかなりのエネルギーの消費になる。しかし頭が右に傾いた時、その分だけ枕が左に動けば、抵抗が起きない、反対の場合も同じである、ヒトの頭は体重の十分の一の重さがあるので、少しの傾きでも微動する為のエネルギーを保持している、それを接触抵抗値に変換せずに、相関関係の原理を利用して、枕を滑動させる構成の動力とする、物理的な構造を提供する。【選択図】図３
2011050708.tif 000002
【特許請求の範囲】
【請求項１】
下部の平滑板（１０）の上を、上部の平滑板（９）が左右に数センチづつ、滑らかに揺り動く様にする為、上下の平滑板（９）（１０）の四隅に、数センチの長さに固形ボール（１１）が滑動する溝（１２）を彫り、固形ボール（１１）の転がり運動が可能な構造に形成してから、それぞれの溝（１２）に、固形ボール（１１）を挟み入れ上下を連結する、その方法は上部の平滑板（９）の側面に、下部の平滑板（１０）に取り付けるＬ字型の金具（１４）の横方向が、噛み合って摺動する機構を加工し組み立てる、Ｌ字型の金具（１４）を取り付け固定すれば、固形ボール（１１）は外れない、この構造体の上部の平滑板（９）に枕型（１３）を表皮で覆った枕（３）を装着し、下部の平滑板（１０）は底板として定着させる、以上のごとく構成された上部が揺れ動く枕。
【発明の詳細な説明】
【技術分野】
【０００１】    ヒトは一生の三分の一を眠るが、睡眠状態の質によって疲労回復の度合いが、大きく左右される、それの要因の内で、枕の形態が重要になる、従来からこの為の改良、新機軸の開発が進められているが、本案はこの快眠を追求する枕への構造に関するものである。
【背景技術】
【０００２】  従来の枕は、生地や芯の素材に改良が加えられているが、その構想は頭部を如何にソフトに支えるかの工夫で、接触感覚の向上だけが目的の全てである。
【発明の概要】
【発明が解決しようとする課題】
【０００３】  ヒトは生理的な意識喪失と云われる睡眠中でも、常に脳は活動しているので、身体は微妙に動く、枕と頭の接点には、動く度に擦れ抵抗が働いていると考えると、ヒトの頭は体重の約十分の一の重量がある、僅かの傾きでも睡眠中に受ける総抵抗値は、かなりのエネルギーの消費につながり、それが寝苦しい要因の一つになっている。そこでこの摩擦抵抗値を吸収するために、頭の傾き幅に同調する様な、枕を動かす装置を着ければ解決する、動力を持たない物理的な方法としては、頭が傾けばその反動で枕が動くと云う、相関メカニズムを利用すれば解決する。
【課題を解決するための手段】
【０００４】  頭が右に傾けば、枕が左に動く、反対の場合でも、同調する動きを相関メカニズムと謂う、本発明は、［図１］の従来の枕の使用略図と、［図２］の本発明の説明略図、［図３］の本発明の部分断面図、［図４］部分拡大図、［図５］上下の平滑板の溝の略示図、［図６］本発明の完成略図、によって説明する。
［図１］の、従来の頭（１）と枕（３）の使用状態を例として、僅かに傾く頭（１）は枕（３）の上を頭（２）の位置まで転がるが、枕（３）との接点（７）は殆ど移点しない、そのため頭（１）の傾きの中心である芯軸（５）は、芯軸′（６）まで引力を受ける、その様な左右への僅かな抵抗値の集積が、微妙に睡眠効果に影響してくる。
［図２］の、本発明の場合、従来の頭（１）と枕（３）の使用状態は同じであるが、枕（３）に滑動する相関メカニズムを組み入れて、左右に数Ｃｍずつ摺動する機能を装着すれば、頭（１）が頭（２）まで芯軸（５）を中心に傾き、頭（１）の接点（７）の部位が、接点′（８）の位置まで移っても、枕（３）との接点（７）の部位が接点′（８）の位置まで枕′（４）と同時に移動するので、中心の芯軸（５）は引力抵抗を受けない、睡眠中の僅かな頭（１）の動きを吸収して、快眠の一助になる。
［図３］の、相関メカニズムを応用した、滑動する構造の一例を説明する、例は真円の固形ボール（１１）を採用した場合とする、上下の平滑板（９）、（１０）の四隅に固形ボール（１１）を、摺動させる巾の寸法だけ彫り込んだ溝（１２）に挟み接続する、以上の様に成型した摺動する機構により、固形ボール（１１）は転がり運動によって、極く僅かな加力により左右に揺れる、この運動が本発明の追求した構造である。
固形ボール（１１）以外にも様々なメカニズムが、応用される。
［図４］は、［図３］のＡ部分拡大図である、摺動する構造の説明をａ、ｂ、ｃ、ｄに分割して図示した、ａ、ｃは矢印の方向へ揺れ動く様、ｂは中央に位置した状態である、ｄは上下の平滑板（９）、（１０）の連結方式を略図示したものである。
［図５］上下の平滑板（９）、（１０）の設置する溝（１２）の状態を略示したものである。
［図６］相関メカニズムを基にした、摺動する平滑板（９）の上に芯材を加工した枕型（１３）を、成型して接着し、表皮で覆った完成図。
【発明の効果】
【０００５】  ヒトは人生の三分の一を寝て過ごす、当たり前の事だが、この空白の時間の生活環境の向上を思案することは、重要であり必要である、従って医学的な検証を得られたならば、この発明は実施例の結果を踏まえて、人々の健康思考への一助を担える効果が考えられる。
【発明を実施するための形態】
【０００６】  ［図３］の、相関メカニズムを利用した本発明の構成を基本に、製作した試作枕は、４００ｍｍ×１５０ｍｍ×１０ｍｍの木材の上下の平滑板（９）、（１０）の四隅に、３０ｍｍ×１２ｍｍ深さ５ｍｍの溝（１２）を彫り込み０．５ｍｍの金属を溝の（１２）の底に張り、１１ｍｍの金属の固形ボール（１１）を挟み、Ｌ字型の金具（１４）を下部の平滑板（１０）に取り付けて、上部の平滑板（９）が軽く摺動するように連結成型した、芯材は発泡ゴムスポンジを使用した枕型（１３）を表皮の布で覆い、上部の平滑板（９）に接着して揺れ動く枕を製作し、数人が睡眠試験を実施した、常に使用している枕と変わらぬ状態で行い、科学的な考察は無いが、結果はそれぞれの感覚だけの申告ながら、全員の覚醒感が通常の枕に比べ、ソフトであり快眠であるとの実施例をえている、特に女性の試験者には、朝起きた時の首筋の渋みが無く、肩凝りにも効果があるとの報告がある。  摺動する構造を発展的に改良工夫して、バスや乗用車の椅子や、仮眠用の簡易ベットなど応用範囲は無数にある。
【図面の簡単な説明】
【図１】従来の枕の使用略図
【図２】本発明の説明略図
【図３】本発明の部分断面図
【図４】Ａ部、部分拡大図  ａ  矢印の方向へ揺れ動く  ｂ  中央に位置  ｃ  矢印の方向へ揺れ動く  ｄ  上下の平滑板の連結方式略図
【図５】上下の平滑板の溝の略示図
【図６】本発明ノ完成略図
【符号の説明】（１）頭  （２）頭′  （３）枕  （４）枕′  （５）芯軸（脊柱）
（６）芯軸（脊柱）  （７）頭と枕の接点  （８）頭と枕の接点′
（９）上部の平滑板  （１０）下部の平滑板  （１１）真円の固形ボール
（１２）溝  （１３）枕型  （１４）Ｌ字型の金具
【図１】
2011050708.tif 000003
【図２】
2011050708.tif 000004
【図３】
2011050708.tif 000005
【図４】
2011050708.tif 000006
【図５】
2011050708.tif 000007
【図６】
2011050708.tif 000008